(57)【要約】【課題】  船舶等を波止場や沖合のシーバースで係留するために使用する固定装置との間での摩擦による係留用ロープの接触部位の損傷を防ぐための船舶等係留用ロープの保護カバーを提供する。【解決手段】  その保護カバーは、耐摩耗性と柔軟性と十分な厚さとを有する布状部材からなる矩形状のカバー本体と、カバー本体の内側面に長手方向に沿って取り付けた帯状のノンスリップマットと、カバー本体の長手方向の両端部のそれぞれから延出させた、カバー本体よりも薄手のフラップと、各フラップの端辺の内側面に取り付けた帯状のノンスリップマットと、カバー本体の表面及び裏面の側辺上に取り付けた一対の面ファスナーとを備える。【選択図】図５
2007320559.tif 000002
【特許請求の範囲】
【請求項１】
耐摩耗性と柔軟性と所定の厚みとを有する布状部材からなる矩形状のカバー本体と、該カバー本体の内側面に長手方向に沿って取り付けた帯状のノンスリップマットと、前記カバー本体の長手方向の両端部のそれぞれから延出させた、前記カバー本体よりも薄手のフラップと、各フラップの端辺の内側面に取り付けた帯状のノンスリップマットと、前記カバー本体の表面及び裏面の側辺上に取り付けた一対の面ファスナーとを備える、船舶等係留用ロープの保護カバー。
【請求項２】
請求項１の船舶等係留用ロープの保護カバーにおいて、前記カバー本体はポリエステル繊維の織物からなる、船舶等係留用ロープの保護カバー。
【請求項３】
請求項２の船舶等係留用ロープの保護カバーにおいて、前記織物は繊維同士がずれて動くことが自在な、船舶等係留用ロープの保護カバー。
【請求項４】
請求項１の船舶等係留用ロープの保護カバーにおいて、前記カバー本体はポリエステルの不織布からなる、船舶等係留用ロープの保護カバー。
【請求項５】
請求項１の船舶等係留用ロープの保護カバーにおいて、前記ノンスリップマットは摩擦係数の高い塩化ビニル材又はゴム材から形成されている、船舶等係留用ロープの保護カバー。
【請求項６】
請求項１の船舶等係留用ロープの保護カバーにおいて、前記カバー本体はポリエステル繊維をゆるめに織った１枚の織物からなる、船舶等係留用ロープの保護カバー。
【発明の詳細な説明】
【技術分野】
【０００１】
本発明は船舶等係留用ロープの保護カバーに関するもので、更に、詳細には、船舶等が波止場や沖合のシーバースで係留するために使用する係留用ロープと係留用固定機器の接触部位とにおける、又は係留用ロープとその他の機器等の接触部位とにおける摩擦による損傷から係留用ロープを保護するための船舶等係留用ロープの保護カバーに関する。
【背景技術】
【０００２】
従来、船舶等を係留させる必要がある場合、海流や風によって流されないように係留用固定機器に船舶等から繰り出した係留用ロープを張設する。しかし、海流や風、又は、波、潮の干満等の影響によって船舶等が移動し、その移動のために係留用ロープが緊張又は弛緩を繰り返すため、係留用ロープと係留用固定機器との接触部位に、又は、係留用ロープとその他の機器等との接触部位に緊張時に摩耗が発生する。通常、係留用ロープは繊維素材が撚り合わされているのに対し、係留用固定機器等は金属やコンクリートから形成されているため、係留用ロープが摩耗し、やがて切れたりして使用できなくなってしまうことがある。そのため、特に、長尺の一本のロープから現地で長さを調整しながら製作した係留用ロープの場合には、一部が経時の使用で直ぐ摩耗によって損傷してしまうだけですべてが使え無くなるため頻繁に取り替えなければならない。
【発明の開示】
【発明が解決しようとする課題】
【０００３】
そのため、予め摩耗に対する特殊加工を施したりしているが、そのような加工処理は、高価であったり、自由に保護の場所の変更ができないため敬遠されている。また、そのような摩耗による損傷からロープを保護するために、使用できなくなったロープ等や他の柔軟な部材を係留用固定機器の接触部位に巻き付けたりしている。しかし、そのような対応は、多大な労力を必要とすると共に、素人が取り付けると直ぐにずれたり外れたりするため熟練を要するものである。また、波止場や船舶の美観を損なうという問題もある。
【課題を解決するための手段】
【０００４】
本発明は上述の課題に鑑み、取り付けが容易であり、船舶等の係留用ロープと係留用固定機器の接触部との間、及び、係留用ロープとその他の機器等の接触部との間で発生する摩耗から係留用ロープを保護し、また、係留用ロープに取り付けた位置からずれることなく、さらに、波止場や船舶の美観を損なわない保護カバーを提供することを目的とする。
【０００５】
本発明に係る船舶等係留用ロープの保護カバーは、耐摩耗性と柔軟性と所定の厚みとを有する布状部材からなる矩形状のカバー本体と、カバー本体の内側面に長手方向に沿って取り付けた帯状のノンスリップマットと、カバー本体の長手方向の両端部のそれぞれから延出させた、カバー本体よりも薄手のフラップと、各フラップの端辺の内側面に取り付けた帯状のノンスリップマットと、カバー本体の表面及び裏面の側辺上に取り付けた一対の面ファスナーとを備える。
【０００６】
カバー本体をポリエステル繊維の織物から形成してもよく、織物の繊維同士がずれて動くことが自在であることが望ましい。
【０００７】
カバー本体をポリエステルの不織布から形成してもよい。
【０００８】
ノンスリップマットは摩擦係数の高い塩化ビニル材又はゴム材から形成することができる。
【０００９】
また、カバー本体をポリエステル繊維をゆるめに織った１枚の織物から構成するようにしてもよい。
【発明の効果】
【００１０】
本発明の船舶等係留用ロープの保護カバーは、面ファスナーで捲着するため係留用ロープへの装着が容易であり、また、耐摩耗性と柔軟性とを有したカバー本体を係留用ロープに巻着させているので、係留用固定機器やその他の機器等との接触によって係留用保護ロープが磨耗し損傷することを防ぐことができる。
【００１１】
また、カバー本体の内側にノンスリップマットを有するとともに、フラップにもノンスリップマットを有しているので、係留用ロープから保護カバーがずれるのを効果的に防止することができる。
【００１２】
更に、カバー本体の長手方向の両端辺にフラップを延出しているために、カバー本体が厚手であっても、その段差部分が固定機器等に衝突して保護カバーがずれ動くことを防止することができる。
【発明を実施するための最良の形態】
【００１３】
以下、本発明に係る船舶等係留用ロープの保護カバーの望ましい実施形態について、添付の図面を参照しながら説明する。なお、図中、同じ要素に対しては同じ符号を付して、重複した説明を省略している。
[保護カバーの構造]
図１は本発明の一実施形態に係る船舶等係留用ロープの保護カバー１０の正面図である。また、図２は、図１に示す本発明の一実施形態に係る船舶等係留用ロープの保護カバー１０の背面図である。図３は、図１における３−３線に沿った断面を右側面から見た図であり、図４は、図１における４−４線に沿った断面を底面から見た図である。特に、図３及び図４では、構成が明確に現れるように、特に厚さ方向を拡大して示している。また、図１及び図２において、二点鎖線は縫い目を表わしている。
【００１４】
保護カバー１０は、矩形状のカバー本体１２を備える。そのカバー本体１２は、図３に示すように、耐摩耗性、柔軟性及び必要な厚さを有するポリエステル等の繊維から織られた布を複数枚積層させたものである。そのように繊維から織られた布を用いることによって繊維どうしのずれを利用して係留用ロープとの接触する面における摩擦を大きくすることができ、また、布を積層させることによって、それらの布同士の間のすべりを利用して同様に係留用ロープの保持を確実にすることができる。そのため、各布は繊維同士が動きやすいように緩やかに織られている。
【００１５】
図３の実施形態では４枚の布を積層している状態を示すが、その枚数に限定されるものではない。カバー本体１２としては、保護しようとする係留用ロープの直径の大きさによって異なる厚みのものを用いることになるが、一般には、積層した状態で、約８ミリメートルから１０ミリメートル程度の厚さのものを用いる。
【００１６】
保護カバーの長手方向の端部には、それぞれ、フラップ１６が延出するように縫い付けられている。そのフラップ１６は例えば綿の帆布のような丈夫な生地から作られていて、カバー本体１２よりも薄手のものである。フラップのカバー本体１２への取り付けは縫い着けに代えて溶着させても接着させてもよい。
【００１７】
また、保護カバー１０には、２枚ずつの帯状のノンスリップマット１４，１５が取り付けられている。２枚のノンスリップマット１４は、保護カバー１０の長手方向に沿って内
側の面上に間隔を隔てて縫い付け取り付けられている。また、２枚のノンスリップマット１５は、フラップ１６の端部の内側の面にそれぞれ縫い付けられている。これらのノンスリップマットは、摩擦係数の高い材質、例えば、塩化ビニル材又はゴム材を網目状に成形したものである。ノンスリップマットのカバー本体１２への取り付けも縫着する代わりに溶着でも接着でもよい。また、それぞれの枚数も２枚ずつに限定されるものでもない。
【００１８】
また、保護カバー１０には、係留用ロープへの固定のための一対の面ファスナーが設けられており、図１の正面図に示すように、保護カバー１０のカバー本体１２の右側面上には、一方の面ファスナー１８が取り付けられており、また、図２の背面図に示すように、カバー本体１２の右側面上には、その面のファスナー１８と係合可能な他方の面ファスナー２８が取り付けられている。それらの面ファスナーのカバー本体１２への取り付けは縫製でも、溶着でも、接着でもよい。
【００１９】
面ファスナー１８及び２８は、それらを重ね合わせて押し付けあうことによって簡単に結合することができる。面ファスナーとして、例えば、マジックテープ（登録商標）を用いてもよい。
[保護カバーの取り付け方法]
図５及び図６は、保護カバー１０の使用方法を説明するための図である。最初に、図５に示すように、保護カバー１０の内側面を上にして広げて置く。その上に、その長手方向に沿って、係留用ロープ５０を配置する。保護カバー１０上に置く係留用ロープ５０の部位は、係留用ロープの固定機器等に接触して磨耗する可能性のある部位である。次に、その状態で、図５においてカバー本体１２の左側の側辺を持ち上げて係留用ロープ５０の上に巻き付けて、ノンスリップマット１４を係留用ロープ５０に当接させる。その際には、両端部のフラップ１６も係留用ロープ５０にきっちりと巻きつけて、それらのノンスリップマット１５を係留用ロープ５０に当接させるようにする。その状態では、面ファスナー２８（図２）が係留ロープ５０の上に乗っかって上を向くようになるので、図５においてカバー本体１２の右側の側辺を持ち上げて、その面ファスナー２８に面ファスナー１８を重ねて押し付けてそれらを結合させる。
【００２０】
図６には、上記のようにして係留用ロープ５０に保護カバー１０を巻きつけた状態のものを示す。その図に示すように、保護カバー１０のカバー本体１２及びフラップ１６が、係留用ロープ５０の周囲にきっちりと巻きつけられている。フラップ１６は、カバー本体１２よりも薄いので、カバー本体１２と係留用ロープ５０との間の段差が徐々になくなるように、カバー本体１２の外側の面と係留用ロープ５０の面との間に緩やかな傾斜面を形成する。これによって、後述のように、係留用ロープの固定機器に係留用ロープを巻きつけたときに、係留用ロープが移動したとしても、その固定機器との接触面に対し、カバー本体１２の段差が引っかかったりすることを防ぐことができる。
[保護カバーの使用例]
図７は、例えば、船舶を港に停泊させる際に、保護カバー１０を巻いた係留用ロープ５０を固定機器７０に巻きつけた状態を示す。その図に示すように、保護カバー１０のフラップ１６部分が、固定機器７０の曲面部分と接触している。この状態で、係留用ロープ５０が、例えば、図７の手前側に引っ張られて少し移動した後に、逆に、図の背面側から引っ張られてその方向に少し戻った場合には、係留用ロープ５０の移動とともに、フラップ１６も固定機器７０の曲面部分上を滑って手前に移動し、それから、逆に、その曲面部分上を滑りながら後退するように移動する。
【００２１】
その際には、フラップ１６は、カバー本体１２の端部と係留用ロープ５０の表面との間の段差を解消して滑らかな傾斜面を形成しているので、係留用ロープ５０が後退するときには、保護カバー１０は滑らかに固定機器７０の曲面部分上を移動することができるようになる。その結果、カバー本体１２の端部が固定機器７０の曲面に衝突してカバー本体１
２がずれて移動してしまうようなことを防ぐことができる。
[変形例]
上記の実施形態では、カバー本体１２は、ポリエステル等の繊維から織られた布を複数枚積層させたものを用いたが、それに代えて不織布を複数枚積層させたものを用いてもよい。また、カバー本体１２をポリエステル等の繊維からゆるめに織られた十分な厚みを有する１枚のマットから構成するようにしてもよい。この場合には、織られた繊維間のあそびによって繊維同士がずれあうことによって係留用ロープを確実に保持することができる。また、繊維間に空間が存在するため空気に露出する繊維の表面積が増加するため、放熱効果が高くなって摩擦等による熱を発散しやすくなる。一方、繊維が密になるようにきっちりと織られた布をカバー本体として用いてもよい。この場合には、係留用ロープの保持は他の摩擦手段によって行うようにする。
【００２２】
また、カバー本体１２上のノンスリップマット１４は、カバー本体１２の内側面上に帯状に２枚固定した例を示したが、小さくカットしたものを内側面上に分散させて固定するようにしてもよい。また、帯状の面ファスナー１８，２８をカバー本体１２のそれぞれの側辺に固定したが、それらの面ファスナーは、帯状でなくてもよく、所定の位置に分散させて取り付けてもよい。
【図面の簡単な説明】
【００２３】
【図１】図１は、本発明の一実施形態に係る船舶等係留用ロープの保護カバーの正面図である。
【図２】図２は、図１に示す保護カバーの背面図である。
【図３】図３は、図１における３−３線に沿った断面を右側面から見た段面図である。構成が明確に現れるように、特に厚さ方向を拡大して示している。
【図４】図４は、図１における４−４線に沿った断面を底面から見た段面図である。構成が明確に現れるように、特に厚さ方向を拡大して示している。
【図５】図５は、図１に示す保護カバーの取り付け方法を説明するための図である。
【図６】図６は、図１に示す保護カバーを係留ロープに巻き付けた状態を説明するための図である。
【図７】図７は、図１に示す保護カバーを取り付けた係留用ロープを固定機器に巻きつけた状態を示す図である。
【符号の説明】
【００２４】
１０          保護カバー
１２          カバー本体
１４，１５    ノンスリップマット
１６          フラップ
１８、２８    面ファスナー
【図１】
2007320559.tif 000003
【図２】
2007320559.tif 000004
【図３】
2007320559.tif 000005
【図４】
2007320559.tif 000006
【図５】
2007320559.tif 000007
【図６】
2007320559.tif 000008
【図７】
2007320559.tif 000009